(57)【特許請求の範囲】
【請求項１】
遊技盤の前面側に設けられ、開閉可能な扉を有する大入賞口と、
前記遊技盤の後面側に設けられ、前記大入賞口を後方から覆う部分を有する第１の裏樋と、
前記遊技盤の後面側に設けられ、前記第１の裏樋とは異なる部材である第２の裏樋と、
前記遊技盤の後面側に設けられ、プランジャを有すると共にソレノイドホルダによって後方から支えられたソレノイドと、
前記ソレノイドのプランジャに連結され、前記プランジャと共に移動して前記扉を開閉するレバーと、
前記ソレノイドホルダに設けられ、前記プランジャの移動方向に沿って延びる貫通孔と、
前記レバーに設けられ、前記貫通孔を通して前記ソレノイドホルダの後方へ突出する操作部と、
前記第２の裏樋に設けられ、前記レバーの操作部を後方から覆うように前記第２の裏樋から突出するカバーを備えたことを特徴とするパチンコ機。
【発明の詳細な説明】
【０００１】
【発明の属する技術分野】
本発明は、入賞口の扉を開閉するレバーを備えたパチンコ機に関する。
【０００２】
【発明が解決しようとする課題】
上記パチンコ機には、遊技盤の後面側にソレノイドを設け、ソレノイドのプランジャにレバーを連結した構成のものがある。この構成の場合、ソレノイドの通断電に伴いレバーをスライドさせ、大入賞口の扉をレバーのスライドに連動して開閉させている。これと共に、ソレノイドおよびレバーを裏カバーによって後方から覆い、レバーの不正操作を防止している。
【０００３】
上記構成の場合、ソレノイドのコード線がレバーに引掛かり、レバーが動作不良を起こす虞れがある。そこで、レバーに専用カバーを被せることが考えられるが、ソレノイドの装着時にレバーが専用カバーにより覆われていると、レバーを手動操作して扉に機械的に接続する作業が不能になる。
【０００４】
本発明は上記事情に鑑みてなされたものであり、その目的は、レバーの接続作業を円滑に行うことができ、しかも、レバーの不正操作および動作不良を防止できるパチンコ機を提供することにある。
【０００５】
【課題を解決するための手段】
本発明のパチンコ機は、遊技盤の前面側に設けられ開閉可能な扉を有する大入賞口と、 前記遊技盤の後面側に設けられ前記大入賞口を後方から覆う部分を有する第１の裏樋と、前記遊技盤の後面側に設けられ前記第１の裏樋とは異なる部材である第２の裏樋と、前記遊技盤の後面側に設けられプランジャを有すると共にソレノイドホルダによって後方から支えられたソレノイドと、前記ソレノイドのプランジャに連結され前記プランジャと共に移動して前記扉を開閉するレバーと、前記ソレノイドホルダに設けられ前記プランジャの移動方向に沿って延びる貫通孔と、前記レバーに設けられ前記貫通孔を通して前記ソレノイドホルダの後方へ突出する操作部と、前記第２の裏樋に設けられ前記レバーの操作部を後方から覆うように前記第２の裏樋から突出するカバーを備えたところに特徴を有している。
【０００６】
上記手段によれば、レバーの操作部が第２の裏樋のカバーにより後方から覆われているので、ソレノイドのコード線がレバーの操作部に引掛かってレバーが動作不良を起したり、レバーの操作部が後方から不正操作されることが防止される。しかも、遊技盤にソレノイドおよび第２の裏樋を該順序で取付けるようにすれば、ソレノイドの取付時にレバーの操作部が後方に露出するので、レバーの操作部を後方から操作して大入賞口の扉に容易に接続できる。
【０００７】
【発明の実施の形態】
以下、本発明の一実施例を図面に基づいて説明する。まず、図９において、パチンコホールの台島には本体枠１が設置されており、本体枠１には遊技盤２が組込まれている。また、本体枠１の後面には、図１０に示すように、下隅部に位置して発射モータ３が固定されており、発射モータ３の回転軸には、図９に示すように、打球槌４がクランク部材（図示せず）を介して連結されている。
【０００８】
本体枠１の前面には、発射モータ３の前方に位置して発射ハンドル５が装着されており、発射ハンドル５を矢印Ａ方向へ回動操作すると、発射モータ３の回転軸が回転し、打球槌４が軸４ａを中心に繰返し回動する。また、本体枠１の前面には下皿６および上皿７が装着されている。この上皿７内にはパチンコ球（図示せず）が貯溜されており、打球槌４が回動すると、上皿７内のパチンコ球が打球槌４により上皿７内から遊技盤２内に打出される。
【０００９】
本体枠１の後面には、図１０に示すように、メインセット８が回動可能に装着されている。このメインセット８はプラスチックから形成されたものであり、メインセット８の後面には、上端部に位置して賞球タンク９およびタンクレール１０が固定され、賞球タンク９内およびタンクレール１０内にはパチンコ球が充填されている。また、本体枠１の後面側には賞球ケース１１が配設されており、賞球タンク９内のパチンコ球はタンクレール１０を通して賞球ケース１１内に充填されている。
【００１０】
賞球ケース１１内には払出しソレノイドおよびスプロケット（いずれも図示せず）が収納されており、払出しソレノイドのプランジャが突出すると、スプロケットが所定ピッチ回動し、賞球ケース１１内のパチンコ球が下方へ送り出される。また、メインセット８には球通路１２が設けられている。この球通路１２は、賞球ケース１１と上皿７とを繋ぐものであり、賞球ケース１１から送り出されたパチンコ球は球通路１２を通して上皿７内に供給される。
【００１１】
遊技盤２の前面には、図９に示すように、左肩入賞口１３ａ，左そで入賞口１３ｂ，右肩入賞口１３ｃ，右そで入賞口１３ｄが固定されている。また、遊技盤２の後面には、図２に示すように、左肩入賞口１３ａおよび左そで入賞口１３ｂの後方に位置して第１の裏樋１４がネジ止めされ、右肩入賞口１３ｃおよび右そで入賞口１３ｄの後方に位置して第２の裏樋１５がネジ止めされており、第１の裏樋１４および第２の裏樋１５はメインセット８により後方から覆われている。
【００１２】
第１の裏樋１４および第２の裏樋１５はプラスチックから形成されたものであり、左肩入賞口１３ａおよび左そで入賞口１３ｂに入球したパチンコ球は第１の裏樋１４内に転がり落ち、右肩入賞口１３ｃおよび右そで入賞口１３ｄに入球したパチンコ球は第２の裏樋１５内に転がり落ちる。尚、図５の（ａ）および（ｂ）は第１の裏樋１４および第２の裏樋１５を示すものであり、第２の裏樋１５は通路部材に相当するものである。
【００１３】
メインセット８の後面には、図１０に示すように、メイン基板ボックス１６および賞球基板ボックス１７が固定されており、メイン基板ボックス１６内にはマイクロコンピュータを主体とするメイン制御装置（図示せず）が収納され、賞球基板ボックス１７内にはマイクロコンピュータを主体とする賞球制御装置（図示せず）が収納されている。
【００１４】
第１の裏樋１４内および第２裏樋１５内には入賞口センサ（図示せず）が各々配設されている。これら入賞口センサは、第１の裏樋１４内および第２裏樋１５内にパチンコ球が転がり落ちたことを検出して入球信号を出力するものであり、賞球制御装置は、両入賞球センサからの出力信号に基づいてパチンコ球の入球個数をカウントする。そして、入球個数のカウント結果に基づいて払出しソレノイドを駆動制御することに伴い、賞球タンク９内から上皿７内に所定個数のパチンコ球を払出す。
【００１５】
遊技盤２の前面には、図９に示すように、中央部に位置して図柄表示装置１８および始動口１９が固定されており、始動口１９内には始動口センサ（図示せず）が配設されている。この始動口センサは、始動口１９内にパチンコ球が入球したことを検出して入球信号を出力するものであり、メイン制御装置は、始動口センサからの入球信号を制御プログラムに基づいて処理することに伴い、大当りおよび外れを判別する。そして、大当りおよび外れの判別結果に応じた図柄を図柄表示装置１８に表示すると共に、賞球制御装置に大当りおよび外れの判別結果（＝大当り信号，外れ信号）を出力する。尚、図柄表示装置１８は液晶表示装置を主体に構成されたものである。
【００１６】
遊技盤２の前面には、始動口１９の下方に位置して大入賞口２０が固定されている。この大入賞口２０はプラスチックから形成されたものであり、大入賞口２０には入球口（図示せず）が形成されている。また、大入賞口２０には、図１に示すように、扉２１が軸２１ａを中心に回動可能に装着されている。この扉２１は、ドアスプリング（図示せず）によって矢印Ｂ方向へ付勢されたものであり、矢印Ｂ方向へ回動した状態（図１に示す状態）で大入賞口２０の入球口を開放し、反矢印Ｂ方向へ回動した状態で入球口を閉塞する。
【００１７】
第１の裏樋１４には、図５の（ａ）に示すように、金属製のソレノイドホルダ２２がネジ止めされている。このソレノイドホルダ２２は後面視が略Ｔ字状をなすものであり、ソレノイドホルダ２２には、図１に示すように、大入賞口ソレノイド２３が固定されている。この大入賞口ソレノイド２３は賞球制御装置にコード線（図示せず）を介して接続されたものであり、大入賞口ソレノイド２３のプランジャ２３ａにはプラスチック製のクランクレバー２４が固定されている。
【００１８】
大入賞口ソレノイド２３はソレノイドスプリング（図示せず）を内蔵するものであり、賞球制御装置は、大当り信号を検出していない場合、大入賞口ソレノイド２３を断電している。この状態では、図８の（ａ）に示すように、大入賞口ソレノイド２３のプランジャ２３ａがソレノイドスプリングのばね力で下方へ突出し、クランクレバー２４が下降している。
【００１９】
扉２１には、図８の（ｂ）に示すように、側方へ突出する操作部２１ｂが一体形成されており、大入賞口ソレノイド２３が断電されてソレノイドクランク２４が下降した状態では、図８の（ａ）に示すように、操作部２１ｂがクランクレバー２４により押圧され、扉２１がドアスプリングのばね力に抗して反矢印Ｂ方向へ回動し、大入賞口２０の入球口を閉塞している。
【００２０】
賞球制御装置は、メイン制御装置から大当り信号が与えられると、大入賞口ソレノイド２３に電源を与え、図７の（ａ）に示すように、大入賞口ソレノイド２３のプランジャ２３ａを上方へ移動させる。すると、クランクレバー２４が上昇し、クランクレバー２４から扉２１の操作部２１ｂに作用していた押圧力がなくなるので、扉２１がドアスプリングのばね力により矢印Ｂ方向へ回動し、大入賞口２０の入球口を開放する。
【００２１】
大入賞口２０は大入賞口センサ（図示せず）を内蔵している。この大入賞口センサは、大入賞口２０の入球口内にパチンコ球が入球したことを検出して入球信号を出力するものであり、賞球制御装置は、大入賞口センサからの入球信号に基づいてパチンコ球の入球個数をカウントする。そして、入球個数のカウント結果に基づいて払出しソレノイドを駆動制御し、賞球タンク９内から上皿７内に所定個数のパチンコ球を払出す。
【００２２】
ソレノイドホルダ２２には、図７の（ｂ）に示すように、縦長な貫通孔２２ａが形成されている。また、クランクレバー２４には、図７の（ａ）に示すように、後方へ突出する操作部２４ａが一体形成されており、操作部２４ａは貫通孔２２ａを通してソレノイドホルダ２２の後方に突出している。また、第２の裏樋１５には、図５の（ｂ）に示すように、クランクカバー１５ａが一体形成されている。このクランクカバー１５ａは側方へ突出するものであり、図２に示すように、クランクレバー２４の操作部２４ａを後方から覆っている。
【００２３】
次に上記装置の組立て手順について説明する。まず、図４に示すように、遊技盤２に左肩入賞口１３ａ，左そで入賞口１３ｂ，右肩入賞口１３ｃ，右そで入賞口１３ｄ，始動口１９，大入賞口２０をネジ止めする。この状態では、図６の（ａ）に示すように、大入賞口２０の扉２１がドアスプリングのばね力で矢印Ｂ方向へ回動し、大入賞口２０の入球口を開放している。
【００２４】
遊技盤２に大入賞口２０等を固定したら、図７の（ａ）に示すように、クランクレバー２４の操作部２４ａをソレノイドスプリングのばね力に抗して押上げながら、遊技盤２の後面に第１の裏樋１４をネジ止めし（大入賞口ソレノイド２３はクランクホルダ２２により第１の裏樋１４に予め組付けられている）、操作部２４ａから手を離す。すると、クランクレバー２４がソレノイドスプリングのばね力で下降し、クランクレバー２４の操作部２４ａが扉２１の操作部２１ｂを押圧するので、図８の（ａ）に示すように、扉２１がドアスプリングのばね力に抗して反矢印Ｂ方向へ回動し、大入賞口２０の入球口を閉塞する。
【００２５】
遊技盤２に第１の裏樋１４を固定したら、図２に示すように、第２の裏樋１５をネジ止めする。すると、第２の裏樋１５のクランクカバー１５ａがソレノイドクランク２４の操作部２４ａを後方から覆うので、操作部２４ａの操作が不能になる。
【００２６】
上記実施例によれば、クランクレバー２４の操作部２４ａを第２の裏樋１５のクランクカバー１５ａにより後方から覆ったので、大入賞口ソレノイド２３の電源コードがクランクレバー２４の操作部２４ａに引掛かってクランクレバー２４が動作不良を起したり、操作部２４ａが後方から不正操作されることが防止される。しかも、遊技盤２に第１の裏樋１４を取付ける際にクランクレバー２４の操作部２４ａが後方に露出するので、クランクレバー２４の操作部２４ａを後方から手動操作して扉２１の操作部２１ｂに容易に接続できる。
【００２７】
尚、上記実施例においては、大入賞口ソレノイド２３を第１の裏樋１４を介して遊技盤２の後面に取付けたが、これに限定されるものではなく、例えば大入賞口ソレノイド２３を遊技盤２の後面に直接的に取付けても良い。
【００２８】
また、上記実施例においては、第２の裏樋１５にクランクカバー１５ａを一体形成したが、これに限定されるものではなく、例えば第２の裏樋１５に別体のクランクカバー１５ａを組付けても良い。
【００２９】
また、上記実施例においては、クランクカバー１５ａが設けられる通路部材として第２の裏樋１５を例示したが、これに限定されるものではなく、例えば、遊技盤２のワープ口に入球したパチンコ球を別のワープ口に導くワープ通路を有している場合には、ワープ通路にクランクカバー１５ａを設けても良い。
【００３０】
【発明の効果】
本発明のパチンコ機によれば、レバーの操作部を第２の裏樋のカバーにより後方から覆った。このため、ソレノイドのコード線がレバーの操作部に引掛かってレバーが動作不良を起したり、レバーの操作部が後方から不正操作されることが防止される。しかも、レバーの操作部を第２裏樋のカバーによって覆う前に手動操作して大入賞口の扉に容易に接続できる。
【図面の簡単な説明】
【図１】本発明の一実施例を示す図（図２のＸ−Ｘ線に沿う断面図）
【図２】遊技盤の後面を第１の裏樋および第２の裏樋の装着状態で示す図
【図３】遊技盤の後面を第１の裏樋の装着状態で示す図
【図４】遊技盤の後面を第１の裏樋および第２の裏樋の非装着状態で示す図
【図５】（ａ）は第１の裏樋を示す後面図、（ｂ）は第２の裏樋を示す後面図
【図６】（ａ）は扉を開放状態で示す図、（ｂ）は扉を閉塞状態で示す図
【図７】大入賞口ソレノイドの装着手順を説明するための図（ａは大入賞口ソレノイドおよび扉を示す側面図、ｂは後面図）
【図８】大入賞口ソレノイドが装着された状態を示す図（ａは大入賞口ソレノイドおよび扉を示す側面図、ｂは後面図）
【図９】全体構成を示す前面図
【図１０】全体構成を示す後面図
【符号の説明】
２は遊技盤、１５は第２の裏樋（通路部材）、１５ａはクランクカバー（カバー）、２０は大入賞口（入賞口）、２１は扉、２３は大入賞口ソレノイド（ソレノイド）、２３ａはプランジャ、２４はクランクレバー（レバー）を示す。
【図１】
0003973061.tif 000002
【図２】
0003973061.tif 000003
【図３】
0003973061.tif 000004
【図４】
0003973061.tif 000005
【図５】
0003973061.tif 000006
【図６】
0003973061.tif 000007
【図７】
0003973061.tif 000008
【図８】
0003973061.tif 000009
【図９】
0003973061.tif 000010
【図１０】
0003973061.tif 000011